(57)【要約】【課題】  この発明は、固定受信と部分受信との両方を受信できる地上波デジタル放送受信機において、電源オン指令が入力されたときおよびチャンネル変更指令が入力されたときには、それ以前の最後に選択されていた放送形式と同じ放送形式のサービスが自動的に選択されるようになる地上波デジタル放送受信機を提供することを目的とする。【解決手段】  チャンネル変更指令が入力されたときには、チューナに変更後のチャンネルを選局させるとともに、チューナによって取得された放送信号から、現在選択されている放送形式のプライマリーサービスの番組データをデマルチプレクサに抽出させる手段、放送形式変更指令が入力されたときには、チューナによって取得された放送信号から、変更後の放送形式のプライマリーサービスの番組データをデマルチプレクサに抽出させる手段を備えている。【選択図】  図１
2006332798.tif 000002
【特許請求の範囲】
【請求項１】
選局を行なうチューナおよびチューナによって得られた放送信号から番組データおよび受信情報を分離するデマルチプレクサを備えた地上波デジタル放送受信機において、
チャンネル変更指令が入力されたときには、チューナに変更後のチャンネルを選局させるとともに、チューナによって取得された放送信号から、現在選択されている放送形式のプライマリーサービスの番組データをデマルチプレクサに抽出させる手段を備えていることを特徴とする地上波デジタル放送受信機。
【請求項２】
選局を行なうチューナおよびチューナによって得られた放送信号から番組データおよび受信情報を分離するデマルチプレクサを備えた地上波デジタル放送受信機において、
放送形式変更指令が入力されたときには、チューナによって取得された放送信号から、変更後の放送形式のプライマリーサービスの番組データをデマルチプレクサに抽出させる手段を備えていることを特徴とする地上波デジタル放送受信機。
【請求項３】
選局を行なうチューナおよびチューナによって得られた放送信号から番組データおよび受信情報を分離するデマルチプレクサを備えた地上波デジタル放送受信機において、
電源オフ指令が入力されたときには、現在提示されているサービスに対応するチャンネルおよび放送形式をラストチャンネルおよびラスト放送形式として不揮発性メモリに保持させる手段、ならびに
電源オン指令が入力されたときには、チューナに上記不揮発性メモリに保持されているラストチャンネルを選局させるとともに、チューナによって取得された放送信号から、上記不揮発性メモリに保持されているラスト放送形式のプライマリーサービスの番組データをデマルチプレクサに抽出させる手段、
を備えていることを特徴とする地上波デジタル放送受信機。
【請求項４】
選局を行なうチューナおよびチューナによって得られた放送信号から番組データおよび受信情報を分離するデマルチプレクサを備えた地上波デジタル放送受信機において、
チャンネル変更指令が入力されたときには、チューナに変更後のチャンネルを選局させるとともに、チューナによって取得された放送信号から、現在選択されている放送形式のプライマリーサービスの番組データをデマルチプレクサに抽出させる手段、
放送形式変更指令が入力されたときには、チューナによって取得された放送信号から、変更後の放送形式のプライマリーサービスの番組データをデマルチプレクサに抽出させる手段、
電源オフ指令が入力されたときには、現在提示されているサービスに対応するチャンネルおよび放送形式をラストチャンネルおよびラスト放送形式として不揮発性メモリに保持させる手段、ならびに
電源オン指令が入力されたときには、チューナに上記不揮発性メモリに保持されているラストチャンネルを選局させるとともに、チューナによって取得された放送信号から、上記不揮発性メモリに保持されているラスト放送形式のプライマリーサービスの番組データをデマルチプレクサに抽出させる手段、
を備えていることを特徴とする地上波デジタル放送受信機。
【発明の詳細な説明】
【技術分野】
【０００１】
この発明は、地上波デジタル放送受信機に関する。
【背景技術】
【０００２】
地上波デジタル放送では、１つの周波数帯を１３のセグメントに分け、これらのセグメント群を最大３つにわけて放送波を送信することができる。これにより、固定受信向けの放送（固定受信用の放送）と、携帯型電話機のような移動体向けの放送（部分受信用の放送）との２種類の放送を同時に提供することが可能となっている。
【０００３】
固定受信と部分受信とは個々に運用されるため、地上波デジタル放送受信機では、どちらか一方のみを受信してもよいが、両方を受信することも可能である。
【０００４】
地上波デジタル放送では、１つの周波数帯（チャンネル）に複数のサービス（アナログ放送のチャンネルに相当する）を含むことができる。このため、地上波デジタル放送受信機において、ある周波数帯を選局したときに、初めに提示するサービスをプライマリーサービスと呼んでいる。地上波デジタル放送受信機において固定受信と部分受信との両方を受信する場合は、１つの周波数帯に２つのプライマリーサービスが存在することになる。選局開始時において、予め設定した一方の放送形式（固定受信または部分受信）のプライマリーサービスを提示するように決定することが考えられる。しかしながら、ユーザにとっては最後に選択していた放送形式と同じ放送形式のサービスを提示させたい場合が多いと考えられる。
【発明の開示】
【発明が解決しようとする課題】
【０００５】
この発明は、固定受信と部分受信との両方を受信できる地上波デジタル放送受信機において、電源オン指令が入力されたときには、それ以前の最後に選択されていた放送形式と同じ放送形式のサービスが自動的に選択されるようになる地上波デジタル放送受信機を提供することを目的とする。
【０００６】
この発明は、固定受信と部分受信との両方を受信できる地上波デジタル放送受信機において、チャンネル変更指令が入力されたときには、それ以前の最後に選択されていた放送形式と同じ放送形式のサービスが自動的に選択されるようになる地上波デジタル放送受信機を提供することを目的とする。
【０００７】
この発明は、固定受信と部分受信との両方を受信できる地上波デジタル放送受信機において、電源オン指令が入力されたときおよびチャンネル変更指令が入力されたときには、それ以前の最後に選択されていた放送形式と同じ放送形式のサービスが自動的に選択されるようになる地上波デジタル放送受信機を提供することを目的とする。
【課題を解決するための手段】
【０００８】
請求項１に記載の発明は、選局を行なうチューナおよびチューナによって得られた放送信号から番組データおよび受信情報を分離するデマルチプレクサを備えた地上波デジタル放送受信機において、チャンネル変更指令が入力されたときには、チューナに変更後のチャンネルを選局させるとともに、チューナによって取得された放送信号から、現在選択されている放送形式のプライマリーサービスの番組データをデマルチプレクサに抽出させる手段を備えていることを特徴とする。
【０００９】
請求項２に記載の発明は、選局を行なうチューナおよびチューナによって得られた放送信号から番組データおよび受信情報を分離するデマルチプレクサを備えた地上波デジタル放送受信機において、放送形式変更指令が入力されたときには、チューナによって取得された放送信号から、変更後の放送形式のプライマリーサービスの番組データをデマルチプレクサに抽出させる手段を備えていることを特徴とする。
【００１０】
請求項３に記載の発明は、選局を行なうチューナおよびチューナによって得られた放送信号から番組データおよび受信情報を分離するデマルチプレクサを備えた地上波デジタル放送受信機において、電源オフ指令が入力されたときには、現在提示されているサービスに対応するチャンネルおよび放送形式をラストチャンネルおよびラスト放送形式として不揮発性メモリに保持させる手段、ならびに電源オン指令が入力されたときには、チューナに上記不揮発性メモリに保持されているラストチャンネルを選局させるとともに、チューナによって取得された放送信号から、上記不揮発性メモリに保持されているラスト放送形式のプライマリーサービスの番組データをデマルチプレクサに抽出させる手段を備えていることを特徴とする。
【００１１】
請求項４に記載の発明は、選局を行なうチューナおよびチューナによって得られた放送信号から番組データおよび受信情報を分離するデマルチプレクサを備えた地上波デジタル放送受信機において、チャンネル変更指令が入力されたときには、チューナに変更後のチャンネルを選局させるとともに、チューナによって取得された放送信号から、現在選択されている放送形式のプライマリーサービスの番組データをデマルチプレクサに抽出させる手段、放送形式変更指令が入力されたときには、チューナによって取得された放送信号から、変更後の放送形式のプライマリーサービスの番組データをデマルチプレクサに抽出させる手段、電源オフ指令が入力されたときには、現在提示されているサービスに対応するチャンネルおよび放送形式をラストチャンネルおよびラスト放送形式として不揮発性メモリに保持させる手段、ならびに電源オン指令が入力されたときには、チューナに上記不揮発性メモリに保持されているラストチャンネルを選局させるとともに、チューナによって取得された放送信号から、上記不揮発性メモリに保持されているラスト放送形式のプライマリーサービスの番組データをデマルチプレクサに抽出させる手段を備えていることを特徴とする。
【発明の効果】
【００１２】
この発明によれば、固定受信と部分受信との両方を受信できる地上波デジタル放送受信機において、電源オン指令が入力されたときには、それ以前の最後に選択されていた放送形式と同じ放送形式のサービスが自動的に選択されるようになる。
【００１３】
この発明によれば、固定受信と部分受信との両方を受信できる地上波デジタル放送受信機において、チャンネル変更指令が入力されたときには、それ以前の最後に選択されていた放送形式と同じ放送形式のサービスが自動的に選択されるようになる。
【００１４】
この発明によれば、固定受信と部分受信との両方を受信できる地上波デジタル放送受信機において、電源オン指令が入力されたときおよびチャンネル変更指令が入力されたときには、それ以前の最後に選択されていた放送形式と同じ放送形式のサービスが自動的に選択されるようになる。
【発明を実施するための最良の形態】
【００１５】
以下、図面を参照して、この発明の実施例について説明する。
【実施例１】
【００１６】
図１は、地上波デジタル放送受信機の電気的構成を示している。
【００１７】
アンテナ１、ＤＴＶ部２およびＤＴＶ部２を制御する制御部３を備えている。制御部３は、ＣＰＵ３１、不揮発性メモリ３２および揮発性メモリ３３を備えている。
【００１８】
ＤＴＶ部２について説明する。テレビ放送受信用アンテナ１によって受信された地上波デジタル放送の放送波は、チューナ２１によってチューニングされ、これによって得られた放送信号は、一旦バッファメモリ２２に格納された後、デマルチプレクサ２３に供給される。
【００１９】
デマルチプレクサ２３では、入力された放送信号から、受信管理部２９によって指示されたサービスの番組データ（映像データおよび音声データ）が抽出されるとともに、伝送情報やサービス情報等の受信情報が抽出される。
【００２０】
デマルチプレクサ２３によって抽出された受信情報は、受信情報解析部２８に送られる。受信情報解析部２８の解析結果は、受信管理部２９に送られる。デマルチプレクサ２３によって抽出された映像データは映像デコーダ２４に供給されてＭＰＥＧデコードされた後、ディスプレイ（表示器）２５に送られる。デマルチプレクサ２３によって抽出された音声データは、音声デコーダ２６に供給されてＭＰＥＧデコードされた後、アナログ音声信号に変換されてスピーカ２７に供給される。
【００２１】
なお、後述するように、電源オフ指令が入力された場合には、現在提示されているサービスに対応するチャンネルおよび放送形式が、ラストチャンネルおよびラスト放送形式として不揮発性メモリ３２に保持される。
【００２２】
図２は、電源オン時の選局処理手順を示している。
【００２３】
電源がオンされると（ステップＳ１１）、ＣＰＵ３１は、不揮発性メモリ３２にラストチャンネル（前回選局されていた周波数帯）およびラスト放送形式が保存されているか否かを判別する（ステップＳ１２）。
【００２４】
不揮発性メモリ３２にラストチャンネルおよびラスト放送形式が保存されている場合には、ＣＰＵ３１は、揮発性メモリ３３内のラストチャンネル保持エリアおよびラスト放送形式保持エリアに、ラストチャンネルおよびラスト放送形式を読み込む（ステップＳ１３）。そして、ステップＳ１５に進む。
【００２５】
上記ステップＳ１２において、不揮発性メモリ３２にラストチャンネル（前回選局されていた周波数帯）およびラスト放送形式が保存されていないと判別した場合には、ＣＰＵ３１は、揮発性メモリ３３内のラストチャンネル保持エリアおよびラスト放送形式保持エリアに、不揮発性メモリ３２に予め登録されているデフォルトチャンネルおよびデフォルト放送形式を、ラストチャンネルおよびラスト放送形式として揮発性メモリ３３に読み込む（ステップＳ１４）。そして、ステップＳ１５に進む。
【００２６】
ステップＳ１５では、受信管理部２９は、チューナ２１に、揮発性メモリ３３のラストチャンネル保持エリア内に格納されているチャンネルを選局するように指示する。これにより、チューナ２１は、指示されたチャンネルの選局を開始する。選局に成功しなかった場合には（ステップＳ１６でＮＯ）、エラー処理が行なわれる（ステップＳ１７）。
【００２７】
選局に成功した場合、つまり、チューナがロックした場合には（ステップＳ１６でＹＥＳ）、チューナ２１によってトランスポートストリーム（ＴＳ）が取得されると（ステップＳ１８）、伝送情報やサービス情報等の受信情報がデマルチプレクサ２３によって取得されたか否かを判別する（ステップＳ１９）。
【００２８】
受信情報が取得できない場合には、ステップＳ１８に戻る。受信情報が取得できた場合には、受信情報解析部２８によって受信情報が解析され、解析結果が受信管理部２９に与えられる。受信管理部２９は、受信情報解析部２８の解析結果と揮発性メモリ３３のラスト放送形式保持エリア内に格納されている放送形式とに基づいて、提示すべきサービスを決定し、決定したサービスの映像および音声データを抽出するようにデマルチプレクサ２３に指示する（ステップＳ２０）。具体的には、チューナによって選局されている放送信号に含まれているサービスのうち、揮発性メモリ３３のラスト放送形式保持エリア内に格納されている放送形式のプライマリサービスに相当するサービスを、提示すべきサービスとして決定する。これにより、デマルチプレクサ２３は指示されたサービスの映像データおよび音声データを抽出する。
【００２９】
したがって、電源オン時に不揮発性メモリ３２にラストチャンネルおよびラスト放送形式が保存されている場合には、ラストチャンネルのラスト放送形式のプライマリサービスが提示されることになる。一方、電源オン時に不揮発性メモリ３２にラストチャンネルおよびラスト放送形式が保存されていない場合には、デフォルトチャンネルのデファルト放送形式のプライマリサービスが提示されることになる。
【００３０】
図３は、ユーザによる選局操作が行なわれた場合の選局処理手順を示している。
【００３１】
ユーザによる選局操作が行なわれることにより、チャンネル変更指令が入力されると（ステップＳ２１）、ＣＰＵ３１は、ユーザによって指定された変更後のチャンネル（周波数帯）を、揮発性メモリ３３のラストチャンネル保持エリアに格納する（ステップＳ２２）。受信管理部２９は、揮発性メモリ３３のラストチャンネル保持エリアに格納された変更後のチャンネルを選局するように、チューナ２１に指示する（ステップＳ２３）。これにより、チューナ２１は、指示されたチャンネルの選局を開始する。選局に成功しなかった場合には（ステップＳ２４でＮＯ）、エラー処理が行なわれる（ステップＳ２５）。
【００３２】
選局に成功した場合、つまり、チューナがロックした場合には（ステップＳ２４でＹＥＳ）、チューナ２１によってトランスポートストリーム（ＴＳ）が取得されると（ステップＳ２６）、伝送情報やサービス情報等の受信情報がデマルチプレクサ２３によって取得されたか否かを判別する（ステップＳ２７）。
【００３３】
受信情報が取得できない場合には、ステップＳ２６に戻る。受信情報が取得できた場合には、受信情報解析部２８によって受信情報が解析され、解析結果が受信管理部２９に与えられる。受信管理部２９は、受信情報解析部２８の解析結果と、揮発性メモリ３３のラスト放送形式保持エリアに格納されている放送形式とに基づいて、提示すべきサービスを決定し、決定したサービスの映像および音声データを抽出するようにデマルチプレクサ２３に指示する（ステップＳ２８）。具体的には、チューナによって選局されている放送信号に含まれているサービスのうち、揮発性メモリ３３のラスト放送形式保持エリア内に格納されている放送形式（それまで選択されていた放送形式）のプライマリサービスに相当するサービスを、提示すべきサービスとして決定する。これにより、デマルチプレクサ２３は指示されたサービスの映像データおよび音声データを抽出する。つまり、ユーザによって指定されたチャンネルであって、それまで選択されていた放送形式のプライマリサービスが提示されることになる。
【００３４】
図４は、ユーザによる放送形式切換操作が行なわれた場合の選局処理手順を示している。
【００３５】
ユーザによる放送形式切換操作が行なわれることにより、放送形式変更指令が入力されると（ステップＳ３１）、ＣＰＵ３１は、ユーザによって指定された放送形式（変更後の放送形式）を、揮発性メモリ３３のラスト放送形式保持エリアに格納する（ステップＳ３２）。
【００３６】
チューナ２１によってトランスポートストリーム（ＴＳ）が取得されると（ステップＳ３３）、デマルチプレクサ２３によって伝送情報やサービス情報等の受信情報が取得できたか否かを判別する（ステップＳ３４）。
【００３７】
受信情報が取得できない場合には、ステップＳ３３に戻る。受信情報が取得できた場合には、受信情報解析部２８によって受信情報が解析され、解析結果が受信管理部２９に与えられる。受信管理部２９は、受信情報解析部２８の解析結果と揮発性メモリ３３のラスト放送形式保持エリアに格納された放送形式（今回ユーザによって指定された放送形式）とに基づいて、提示すべきサービスを決定し、決定したサービスの映像および音声データを抽出するようにデマルチプレクサ２３に指示する（ステップＳ３５）。具体的には、チューナによって選局されている放送信号に含まれているサービスのうち、揮発性メモリ３３のラスト放送形式保持エリア内に格納されている放送形式（今回ユーザによって指定された放送形式）のプライマリサービスに相当するサービスを、提示すべきサービスとして決定する。これにより、デマルチプレクサ２３は指示されたサービスの映像データおよび音声データを抽出する。つまり、ユーザによって指定された放送形式のプライマリサービスが提示されることになる。
【００３８】
図５は、電源オフ時の処理手順を示している。
【００３９】
電源オフ指令が入力されると（ステップＳ４１）、ＣＰＵ３１は、揮発性メモリ３３ラストチャンネル保持エリアおよびラスト放送形式保持エリアに格納されている、現在視聴中のサービスに対応するチャンネル（周波数）および放送形式（固定受信または部分受信）を、ラストチャンネルおよびラスト放送形式として不揮発性メモリ３２に保存する（ステップＳ４２）。この後、ＣＰＵ３１は、ＤＴＶ部２の電源をオフにする（ステップＳ４３）。
【図面の簡単な説明】
【００４０】
【図１】地上波デジタル放送受信機の電気的構成を示すブロック図である。
【図２】電源オン時の選局処理手順を示すフローチャートである。
【図３】ユーザによる番組選局操作が行なわれた場合の選局処理手順を示すフローチャートである。
【図４】ユーザによる放送形式切換操作が行なわれた場合の選局処理手順を示すフローチャートである。
【図５】電源オフ時の処理手順を示すフローチャートである。
【符号の説明】
【００４１】
１  アンテナ
２  ＤＴＶ部
３  制御部
２１  チューナ
２２  バッファメモリ
２３  デマルチプレクサ
２９  受信管理部
２８  受信情報解析部
３１  ＣＰＵ
３２  不揮発性メモリ
３３  揮発性メモリ
【図１】
2006332798.tif 000003
【図２】
2006332798.tif 000004
【図３】
2006332798.tif 000005
【図４】
2006332798.tif 000006
【図５】
2006332798.tif 000007